(57)【要約】      （修正有）【課題】片手でも拡大・縮小などに必要な複数点の入力が可能な携帯端末を提供する。【解決手段】携帯端末の裏面あるいは側面に、１次元または２次元入力が可能なタッチパッドを備え、複数点の位置を入力する際に、１点の入力を携帯端末の前面以外の面から入力することにより、複数点の入力を片手で行えるようにする。片手で携帯端末を持った際に、人差し指から小指までの指が届きやすい背面や側面から使用者が入力できるようにすることで、使用者が負担を感ずることなく片手による複数点の位置入力を実現することができる。【選択図】図３
2015049530.tif 000002
【特許請求の範囲】
【請求項１】
表示部と入力手段を有した携帯端末であって、
前面の前記表示部に配置され、前記表示部における位置を入力する第１入力手段と、
前面以外に配置され、前記表示部における位置を入力する第２入力手段と
前記第１入力手段および前記第２入力手段から得た位置情報をもとに第１入力手段の直下に配置した表示部に出力する制御手段を有することを特徴とする携帯端末。
【請求項２】
請求項１の携帯端末において、第２入力手段は携帯端末の背面に配置されていることを特徴とする携帯端末。
【請求項３】
請求項１の携帯端末において、第２入力手段は携帯端末の側面に配置されていることを特徴とする携帯端末。
【請求項４】
請求項２の携帯端末において、第２入力手段は面状であって、２次元入力ができるものであることを特徴とする携帯端末。
【請求項５】
請求項２の携帯端末において、第２入力手段は線状であって、１次元入力ができるものであることを特徴とする携帯端末。
【請求項６】
請求項３の携帯端末において、第２入力手段は押しボタンであることを特徴とする携帯端末。
【発明の詳細な説明】
【技術分野】
【０００１】
本発明は、携帯端末に表示パネル上の複数の位置を入力するための技術に関するものである。
【背景技術】
【０００２】
データを入力するデバイスには種々のものがあるが、携帯端末に入力するための入力デバイスとして、現在ではタッチスクリーンが主流である。その使用に際しては、携帯端末のスクリーンを指でタッチすることにより位置を読み込み、あるいはアイコンを選択するなどのことが行われている。また、スクリーン上の指を滑らせて入力することも行われている。
【０００３】
タッチスクリーンを用いた携帯端末は、携帯電話など、小型であって片手で持つことができるものが多く利用されている。この携帯端末は、片手で持ちながらその手の親指で操作することによって、片手だけで取り扱うことができ、もう一方の手でほかのことをすることができる。たとえば、使用者は携帯端末で表示した内容をもう一方の手で書きとめることが可能であり、電車の中では吊革につかまりながら操作することが可能である。
【０００４】
携帯端末では、スクリーン上の表示を拡大・縮小することがたびたび行われる。その際には、図８のようにスクリーン１１０に２本の指を触れ、触れた点の間隔を変化させることにより入力を行うことが一般的である。
図９にこのような携帯端末の構成を示す。３００は制御手段であり、１１０はスクリーンである。スクリーン１１０は入力手段１１１であり表示部１１２でもある。制御手段３００は、スクリーン１１０の入力手段１１１から得られた２本の指が触れた点の情報を用いて表示部１１２の表示を制御する。
しかしながら、このような前面から２本の指を触れる操作では、携帯端末を持ちながら片手で行うことは、人間の手の構造上困難である。そのため、拡大・縮小の際には、使用者は片手で持ちながらもう一方の手の２本の指で操作しなくてはならず、片手操作ができずに利便性が損なわれていた。
【先行技術文献】
【特許文献】
【０００５】
【特許文献１】特開２０１２−０４３４６０号公報
【発明の概要】
【発明が解決しようとする課題】
【０００６】
本発明は、片手だけで拡大・縮小などに必要な複数点の位置入力を可能とする装置・方法・プログラム・記録媒体を提供するものである。
【課題を解決するための手段】
【０００７】
本発明は、複数点の位置入力のうち、１点の入力を携帯端末の前面以外の面から入力することにより、複数点の位置入力を片手だけで行えるようにすることを特徴とする。
【発明の効果】
【０００８】
片手で携帯端末を持った際に、人差し指から小指までの指が届きやすい背面や側面から使用者が入力できるようにしたことにより、使用者が負担を感ずることなく片手による複数点の位置入力を実現することができる。
【図面の簡単な説明】
【０００９】
【図１】図１は、本発明の実施例における携帯端末の装置構成を表す。
【図２】図２は、本発明の携帯端末の背面図である（実施例１）。
【図３】図３は、本発明で２本の指を携帯端末の前面と背面に触れて複数点入力している状況を表す（実施例１）。
【図４】図４は、本発明の他の実施例における携帯端末の背面を表す図面である（実施例２）。
【図５】図５は、本発明のその他の実施例における携帯端末の背面を表す図面である（実施例３）。
【図６】図６は、本発明のその他の実施例において背面のタッチ式スイッチ入力部２３に触れた際の入力座標の設定法を示すフローチャートである。
【図７】図７は、本発明のその他の実施例における携帯端末の前面を表す図面である（実施例４）。
【図８】図８は、２本の指を携帯端末の前面に触れて複数点入力する従来の使用法を表す。
【図９】図９は、従来の携帯端末の装置構成を表す。
【発明を実施するための形態】
【００１０】
複数点の位置入力のうち、１点の入力を携帯端末の前面以外から入力することにより、複数点の位置入力を片手で行える本願発明の実施例を以下に記載するが、本願発明は下記の実施例に限らない。
【００１１】
図１に本発明の実施例である携帯端末の装置構成を示す。１は表示部１２に第１入力手段１１が積層されたスクリーン、２は第２入力手段、３は制御手段である。制御手段３は第１入力手段１１と第２入力手段２から得た位置情報をもとにスクリーン１の表示部１２に出力する。
【実施例１】
【００１２】
図２は本発明の実施例である携帯端末の背面図を示す。２１はタッチ式２次元入力手段であって、第２入力手段２の一つの例である。本実施例では、図３のように右手で持った時に人差し指が触れる位置である背面の右上方（前面から見ると左上方）にタッチ式２次元入力手段２１を設け、右手の人差し指で背面から入力できるようにしている。しかしこの位置は、左右方向の中央にしてどちらの手で持っても良いようにしてもよい。タッチ式２次元入力手段２１と第１入力手段１１は２次元的な位置を入力できる点で同じである。
【００１３】
携帯端末背面のタッチ式２次元入力手段２１から入力された２次元の位置は２次元座標として制御手段３で処理されて、携帯端末の前面に配置されたスクリーン１の表示部１２に表示され、前面のスクリーン１上から第１入力手段１１によって入力される親指の位置と協働して、拡大、縮小などが行われる。ここで、タッチ式２次元入力手段２１によって入力された２次元位置は、前面に配置されたスクリーン１の表示部１２に表示されなくてもよい。携帯端末背面の上記タッチ式２次元入力手段２１から入力された位置は、指の位置の前面側の位置として入力することが可能であるが、ソフトウェア等により表示部１２上でのずらした位置としたり、移動を拡大したりして入力することも可能である。
たとえば、図３において、実際に人差し指が触れている位置より１ｃｍ下の位置で、スクリーン１の表示部１２にポインタを表示することができる。また、人差し指を１ｃｍ下にスライドさせた際にポインタを２ｃｍ下にスライドさせてもよい。
さらにその際には、ずらす方向と距離や拡大率は任意に設定することが可能である。背面側のタッチ式２次元入力手段２１から入力された位置を前面側の表示位置でずらしたり、移動距離を拡大したりしても、ユーザーは慣れてしまうので使用することができる。
【実施例２】
【００１４】
図４は、本発明の他の実施例である携帯端末の背面図を示す。２２はタッチ式１次元入力手段であって、第２入力手段２の一つの例である。タッチ式１次元入力手段２２はタッチ式２次元入力手段２１と同様に人差し指の位置に配置されているが、実施例１と異なり１次元入力であって、携帯端末装置の背面に斜めに配置されている。
【００１５】
本実施例で入力された位置は、指の位置の前面側の斜め線上の位置として入力されるので、データとしては２次元座標であらわされるが、線上の位置であるため１次元入力である。また、実施例１と同様に、ずらした位置としたり、移動を拡大したりして入力すること等が可能である。
【実施例３】
【００１６】
図５は、本発明のその他の実施例の背面図を示す。２３はタッチ式入力手段であって、第２入力手段２の一つの例である。タッチ式入力手段２３も実施例１、実施例２と同様に人差し指が触れるあたりに設けられている。しかし、実施例１、実施例２と異なり、タッチ式入力手段２３は単に触れられていることを入力するだけであって、画面上の位置を移動する入力はできない。タッチ式入力手段２３は単なるスイッチであり、押しボタン型など、ほかのスイッチを用いることもできる。なお、左右のどちらの手で持っても使えるように、タッチ式入力手段２３を左右方向の中央部付近に配置してもよい。
【００１７】
タッチ式入力手段２３を用いて拡大・縮小を入力する場合には、タッチ式入力手段２３からの入力があるときに、例えば表示部１２の左上隅の位置に入力があったこととして、前面の第１入力手段１１からの入力により拡大・縮小することができる。この入力があったこととする位置は表示部の左上隅に限らず、タッチ式入力手段３の表側の位置や画面の中央など、任意の場所に設定することができる。
【００１８】
ここで、タッチ式入力手段２３から入力があった際に、表示部１２のどの場所を示していることとするかを設定する際のフローの一例を図６に示す。背面のタッチ式入力部２３に３秒以上触れた場合に表示部１２は白黒画面の表示となる。この状態で前面のスクリーン１に触れると第１入力手段１１からの信号により触れた位置を交点として、十字を表示する。触れる位置が移動すれば十字の交点も移動する。スクリーン１から指が離れると、第１入力手段１１からの信号が途絶えて、認識された最終位置の交点座標が登録される。登録された交点座標は、背面のタッチ式スイッチ入力部２３に触れた際の入力座標となる。
【実施例４】
【００１９】
図７は本発明装置のその他の実施例を示した図であって、端末装置の上方側面に側面入力手段２４を設けたものの前面図である。側面入力手段２４も第２入力手段２の１つの例である。設ける位置は左方側面等でもよい。側面入力手段２４としては、タッチ式入力手段２３のような単なるスイッチや、タッチ式１次元入力手段２２のような入力手段を用いることができる。また、押しボタン式とすることもできる。
【符号の説明】
【００２０】
１      スクリーン
１１    第１入力手段
１２    表示部
２      第２入力手段
２１    タッチ式２次元入力手段
２２    タッチ式１次元入力手段
２３    タッチ式入力手段
２４    側面入力手段
３      制御手段
１１０  スクリーン
１１１  入力手段
１１２  表示部
３００  制御手段
【図１】
2015049530.tif 000003
【図２】
2015049530.tif 000004
【図３】
2015049530.tif 000005
【図４】
2015049530.tif 000006
【図５】
2015049530.tif 000007
【図６】
2015049530.tif 000008
【図７】
2015049530.tif 000009
【図８】
2015049530.tif 000010
【図９】
2015049530.tif 000011